(57)【要約】【課題】ディジタルテレビジョン放送受信装置において、チャンネルの選局処理中に、選局処理が行われているチャンネルで放送されているテレビ番組の内容を、ユーザが把握できるようにする。【解決手段】ディジタルテレビジョン放送受信装置１は、チャンネルアップ／ダウンキーが押下されると（Ｓ１でＹＥＳ）、次チャンネルの選局処理に先立って現チャンネルの映像をキャプチャして番組画像を記憶し（Ｓ２）、自動的に番組画像を蓄積する。そして、次チャンネルの選局処理が開始されると（Ｓ３）、予め蓄積された番組画像の中に、次チャンネルの番組画像が存在するか否か判断し、存在する場合には（Ｓ４でＹＥＳ）、この番組画像をモニタ画面に出力する（Ｓ５）。このように、選局処理中に、次チャンネルの番組画像がモニタ出力されるので、ユーザは次チャンネルで放送されているテレビ番組の内容を把握することができる。【選択図】  図２
2006025193.tif 000002
【特許請求の範囲】
【請求項１】
ディジタルテレビジョン放送信号を受信する受信手段と、前記受信手段により受信したディジタルテレビジョン放送信号から映像信号を抽出するデコーダと、前記デコーダにより抽出された１フレーム分の映像信号をキャプチャ画像として記憶するキャプチャ手段と、前記デコーダにより抽出された前記映像信号及び前記キャプチャ手段により記憶された前記キャプチャ画像をモニタ出力する出力手段と、ユーザによるチャンネルアップ／ダウンキーの操作に基づいて、チャンネルの選局処理を制御するチャンネル制御手段とを備えたディジタルテレビジョン放送受信装置において、
前記キャプチャ手段によりキャプチャ画像を記憶する際に、キャプチャ画像をチャンネル番号と関連付けて記憶することにより、このキャプチャ画像を、前記チャンネル番号を有するチャンネルで放送されているテレビ番組の内容を示す番組画像として記憶する番組画像記憶手段と、
前記チャンネル制御手段によりチャンネルの選局処理が行われる際に、選局されるチャンネルのチャンネル番号を有する前記番組画像を、モニタ出力する番組画像出力手段とを備え、
ユーザにより前記チャンネルアップ／ダウンキーが操作されてから、前記チャンネル制御手段により現チャンネルから次チャンネルへの選局処理が終了するまでの間に、
前記番組画像記憶手段は、前記チャンネル制御手段により次チャンネルの選局処理が開始される前に、現チャンネルの番組画像を記憶し、
前記番組画像出力手段は、前記番組画像記憶手段に前記次チャンネルの番組画像が記憶されているか否か判断し、次チャンネルの番組画像が記憶されている場合に、この次チャンネルの番組画像を、前記チャンネル制御手段により次チャンネルの選局処理が開始されてから選局処理が終了するまでの間、モニタ出力することを特徴とするディジタルテレビジョン放送受信装置。
【請求項２】
ディジタルテレビジョン放送信号を受信する受信手段と、前記受信手段により受信したディジタルテレビジョン放送信号から映像信号を抽出するデコーダと、前記デコーダにより抽出された１フレーム分の映像信号をキャプチャ画像として記憶するキャプチャ手段と、前記デコーダにより抽出された前記映像信号及び前記キャプチャ手段により記憶された前記キャプチャ画像をモニタ出力する出力手段と、ユーザによるチャンネル操作に基づいて、チャンネルの選局処理を制御するチャンネル制御手段とを備えたディジタルテレビジョン放送受信装置において、
前記キャプチャ手段によりキャプチャ画像を記憶する際に、キャプチャ画像をチャンネル番号と関連付けて記憶することにより、このキャプチャ画像を、前記チャンネル番号を有するチャンネルで放送されているテレビ番組の内容を示す番組画像として記憶する番組画像記憶手段と、
前記チャンネル制御手段によりチャンネルの選局処理が行われる際に、選局されるチャンネルのチャンネル番号を有する前記番組画像を、チャンネルの選局処理が開始されてからチャンネルの選局処理が終了するまでの間、モニタ出力する番組画像出力手段とを備えたことを特徴とするディジタルテレビジョン放送受信装置。
【請求項３】
前記番組画像記憶手段は、所定時間毎に、チャンネル番号と関連付けられた最新のキャプチャ画像を記憶すると共に、この最新のキャプチャ画像の1つ前に記憶されたキャプチャ画像を番組画像として記憶することを特徴とする請求項２に記載のディジタルテレビジョン放送受信装置。
【発明の詳細な説明】
【技術分野】
【０００１】
本発明はディジタルテレビジョン放送信号を受信するディジタルテレビジョン放送受信装置に関する。
【背景技術】
【０００２】
近年、ディジタルテレビジョン放送（以下、ＤＴＶ放送と略す）が実用化されている。ＤＴＶ放送では、複数のテレビ番組の映像や音声をディジタル圧縮技術により圧縮符号化した後、時分割多重化し、その信号を所定周波数帯域の高周波電波に変調してＤＴＶ放送信号として配信している。なお、ＤＴＶ放送では、複数のテレビ番組の放送信号を多重化した所定周波数帯域のＤＴＶ放送信号を物理チャンネルと呼び、その周波数帯域に多重化される個々のテレビ番組の放送信号をサブチャンネルと呼んでいる。
【０００３】
ＤＴＶ放送を受信するＤＴＶ放送受信装置は、ユーザがリモコン等により視聴したい番組のチャンネル（すなわち物理チャンネルとサブチャンネル）を選択すると、その物理チャンネルに対応する周波数帯域の高周波電波を受信し、その受信信号を復調することにより、圧縮符号化された複数のテレビ番組の映像や音声等の信号が時分割多重化された状態の信号を得ることができる。この信号はＴＳ（Transport  Stream）と呼ばれ、このＴＳには、各テレビ番組の映像及び音声、並びにデータ等の要素信号が納められたＴＳパケットが多重されている。
【０００４】
そして、上記のＤＴＶ放送受信装置は、このＴＳから各サブチャンネルに対応するテレビ番組の映像信号や音声信号を含むＴＳパケットを分離抽出し、その映像信号や音声信号を圧縮符号化される前の状態に復号化してモニタ装置へ出力する。また、ＤＴＶ放送受信装置は、このＴＳから電子番組情報（ＥＰＧ：Electronic  Program  Guide）を抽出してＥＰＧを出力する。
【０００５】
なお、ユーザによるキャプチャボタン操作に基づいて、モニタ装置に表示されている動画像の１フレームを静止画像（以下、キャプチャ画像という）として記憶する静止画キャプチャ機能を有する装置が知られており（例えば、特許文献１及び特許文献２参照）、このような機能を備えたＤＴＶ放送受信装置も知られている。
【特許文献１】特開２００１−５４０５３号公報
【特許文献２】特開平１１−９８４５２号公報
【発明の開示】
【発明が解決しようとする課題】
【０００６】
ところで、ＤＴＶ放送受信装置は、チャンネルの選局処理の際、アナログテレビジョン放送受信装置に比べて複雑な処理が行われるため、選局処理が終了するまでに比較的長い時間が必要となる。その間、モニタ装置にはテレビ番組は表示されないため、選局処理が行われている間、ユーザはそのチャンネルでどのようなテレビ番組が放送されているのか知ることができなかった。このように、従来のＤＴＶ放送受信装置では、選局処理中のチャンネルで放送されているテレビ番組の内容を、ユーザが素早く把握することができないという問題があった。なお、上述した特許文献１又は特許文献２に開示の内容を適用したとしても、上述した問題を解決することはできない。
【０００７】
本発明は、上記課題を解決するためになされたものであり、チャンネルの選局処理に比較的長い時間を要するＤＴＶ放送受信装置において、チャンネルの選局処理中に、ユーザが、選局処理が行われているチャンネルで放送されているテレビ番組の内容を把握することができるＤＴＶ放送受信装置を提供することを目的とする。
【課題を解決するための手段】
【０００８】
上記目的を達成するために請求項１の発明は、ディジタルテレビジョン放送信号を受信する受信手段と、前記受信手段により受信したディジタルテレビジョン放送信号から映像信号を抽出するデコーダと、前記デコーダにより抽出された１フレーム分の映像信号をキャプチャ画像として記憶するキャプチャ手段と、前記デコーダにより抽出された前記映像信号及び前記キャプチャ手段により記憶された前記キャプチャ画像をモニタ出力する出力手段と、ユーザによるチャンネルアップ／ダウンキーの操作に基づいて、チャンネルの選局処理を制御するチャンネル制御手段とを備えたディジタルテレビジョン放送受信装置において、前記キャプチャ手段によりキャプチャ画像を記憶する際に、キャプチャ画像をチャンネル番号と関連付けて記憶することにより、このキャプチャ画像を、前記チャンネル番号を有するチャンネルで放送されているテレビ番組の内容を示す番組画像として記憶する番組画像記憶手段と、前記チャンネル制御手段によりチャンネルの選局処理が行われる際に、選局されるチャンネルのチャンネル番号を有する前記番組画像を、モニタ出力する番組画像出力手段とを備え、ユーザにより前記チャンネルアップ／ダウンキーが操作されてから、前記チャンネル制御手段により現チャンネルから次チャンネルへの選局処理が終了するまでの間に、前記番組画像記憶手段は、前記チャンネル制御手段により次チャンネルの選局処理が開始される前に、現チャンネルの番組画像を記憶し、前記番組画像出力手段は、前記番組画像記憶手段に前記次チャンネルの番組画像が記憶されているか否か判断し、次チャンネルの番組画像が記憶されている場合に、この次チャンネルの番組画像を、前記チャンネル制御手段により次チャンネルの選局処理が開始されてから選局処理が終了するまでの間、モニタ出力すること特徴とする。
【０００９】
請求項２の発明は、ディジタルテレビジョン放送信号を受信する受信手段と、前記受信手段により受信したディジタルテレビジョン放送信号から映像信号を抽出するデコーダと、前記デコーダにより抽出された１フレーム分の映像信号をキャプチャ画像として記憶するキャプチャ手段と、前記デコーダにより抽出された前記映像信号及び前記キャプチャ手段により記憶された前記キャプチャ画像をモニタ出力する出力手段と、ユーザによるチャンネル操作に基づいて、チャンネルの選局処理を制御するチャンネル制御手段とを備えたディジタルテレビジョン放送受信装置において、前記キャプチャ手段によりキャプチャ画像を記憶する際に、キャプチャ画像をチャンネル番号と関連付けて記憶することにより、このキャプチャ画像を、前記チャンネル番号を有するチャンネルで放送されているテレビ番組の内容を示す番組画像として記憶する番組画像記憶手段と、前記チャンネル制御手段によりチャンネルの選局処理が行われる際に、選局されるチャンネルのチャンネル番号を有する前記番組画像を、チャンネルの選局処理が開始されてからチャンネルの選局処理が終了するまでの間、モニタ出力する番組画像出力手段とを備えたことを特徴とする。
【００１０】
請求項３の発明は、請求項２に記載のディジタルテレビジョン放送信号受信装置において、前記番組画像記憶手段は、所定時間毎に、チャンネル番号と関連付けられた最新のキャプチャ画像を記憶すると共に、この最新のキャプチャ画像の1つ前に記憶されたキャプチャ画像を番組画像として記憶すること特徴とする。
【発明の効果】
【００１１】
以上のように請求項１の発明によれば、ユーザによりチャンネルアップ／ダウンキーが操作されると、次チャンネルの選局処理に先立って、現チャンネルで放送されているテレビ番組の内容を示す番組画像が番組画像記憶手段に記憶されるので、ユーザがチャネルアップ／ダウンキーを操作する毎に、自動的に番組画像記憶手段に番組画像が蓄積されていく。そして、このように、予め蓄積された番組画像が、次チャンネルの選局処理が開始されてから選局処理が終了するまでの間、モニタ出力されるので、ユーザは、チャンネルの選局処理中に、次チャンネルで放送されているテレビ番組の内容を把握することができる。
【００１２】
請求項２の発明によれば、チャンネルの選局処理が行われる際、予め番組画像記憶手段に記憶された番組画像が、選局処理が開始されてから選局処理が終了するまでの間、モニタ出力されるので、ユーザは、選局処理が行われているチャンネルで放送されているテレビ番組の内容を把握することができる。
【００１３】
請求項３の発明によれば、所定時間毎に、最新のキャプチャ画像が記憶されると共に、この最新のキャプチャ画像の1つ前に記憶されたキャプチャ画像が番組画像として記憶されるので、ユーザによるテレビ番組の視聴中、自動的に、番組画像記憶手段に番組画像が記憶される。そして、ユーザによりチャンネル操作がされた際、チャンネル操作がされた時点よりも少なくとも所定時間以上前に記憶されたキャプチャ画像が番組画像として記憶されるので、例えば、テレビ番組からＣＭに放送が切り替わった直後にユーザがチャンネル操作した場合であっても、ＣＭのキャプチャ画像が、テレビ番組の番組画像として記憶され難くなる。このため、ユーザはより適切な情報に基づいて、選局処理が行われているチャンネルで放送されているテレビ番組の内容を把握することができる。
【発明を実施するための最良の形態】
【００１４】
以下、本発明の第１の実施形態について図１乃至図４を参照して説明する。図１において、ＤＴＶ放送受信装置１は、放送局から配信されるＤＴＶ放送信号をアンテナ１０を介して受信し、ＤＴＶ放送信号に含まれる映像信号及び音声信号等をモニタ装置２に出力する装置であり、チューナ１１と、デコーダ１２と、オンスクリーンディスプレイ部（ＯＳＤ部）１３と、リモコン受信部１４と、ＲＯＭ１５と、フラッシュメモリ１６と、ＣＰＵ１７を備えている。
【００１５】
ＤＴＶ放送受信装置１には、放送局から所定周波数の高周波電波で発信されるＤＴＶ放送信号を受信するためのアンテナ１０と、テレビ番組の映像を映し出すと共に音声を出力するモニタ装置２が接続される。
【００１６】
チューナ（受信手段）１１は、その受信周波数を、ユーザにより選局された物理チャンネルに対応する周波数に同調させることにより、選局された物理チャンネルのＤＴＶ放送信号をアンテナ１０を介して受信する。
【００１７】
デコーダ１２は、チューナ１１で受信したＤＴＶ放送信号の復調、誤り訂正処理等を行い、多重化された信号から必要なＴＳパケットを分離する。また、デコーダ１２は、ＭＰＥＧ映像デコード部、ＭＰＥＧ音声デコード部、データデコード部（いずれも不図示）を備えており、分離した各ＴＳパケットを各デコード部に供給する。ＭＰＥＧ映像デコード部では、映像信号を含むＴＳパケットがデコードされ、映像信号が抽出される。抽出された映像信号は、ＯＳＤ部１３を介してモニタ装置２に出力され、モニタ画面２０に映像が表示される。ＭＰＥＧ音声デコード部では、音声信号を含むＴＳパケットがデコーダされ、音声信号が抽出される。抽出された音声信号はモニタ装置２に出力され、スピーカ２１から音声出力される。データデコード部では、ＥＰＧに関するデータを含むＴＳパケットがデコードされ、ＥＰＧに関するデータが抽出される。
【００１８】
ＯＳＤ部１３は、オンスクリーンディスプレイ回路を備えており、入力された映像信号に所定の表示画像を重畳してモニタ装置２に出力する。ＯＳＤ部１３は、デコーダ１２により抽出された映像信号及びフラッシュメモリ１６に記憶されたキャプチャ画像をモニタ出力する出力手段として機能すると共に、フラッシュメモリ１６に記憶された番組画像をモニタ出力する番組画像出力手段としても機能する。なお、番組画像とは、各チャンネルで放送されているテレビ番組の内容をユーザが把握できるようにするために利用されるキャプチャ画像のことをいい、チャンネル番号と関連付けてフラッシュメモリ１６に記憶される。
【００１９】
リモコン受信部１４は、リモコン３から送出された信号を受信し、ＣＰＵ１７へ出力する。リモコン３は、チャンネル番号順に１局ずつチャンネルを切り替えさせるためのチャンネルアップキー及びチャンネルダウンキー（以下、チャンネルアップ／ダウンキーという）、キャプチャ処理を実行させるためのキャプチャボタン、テンキー及び決定キーなどを備えており、ユーザによるキー操作に応じた赤外線信号をリモコン受信部１４に送出する。
【００２０】
フラッシュメモリ（キャプチャ手段、番組画像記憶手段）１６は、デコーダ１２により抽出された１フレーム分の映像信号をキャプチャ画像又は番組画像として記憶する。また、フラッシュメモリ１６は、チャンネルの選局処理の際に、選局処理の実行中であることをユーザに知らせるための画像としてブランク画像を記憶している。ブランク画像は、選局処理が行われているチャンネルの番組画像がフラッシュメモリ１６に記憶されていない場合にモニタ画面２０に表示される画像であり、例えば、チャンネル番号や選局処理の実行中であることをユーザに知らせるためメッセージ等の情報を含んでいる。フラッシュメモリ１６に記憶されたキャプチャ画像等は、電源遮断時においても保存される。
【００２１】
ＲＯＭ１５は、ＤＴＶ放送受信装置１のシステム全体を制御するための制御プログラムを記憶している。ＣＰＵ１７は、この制御プログラムに従って各種処理を実行し、ＤＴＶ放送受信装置１全体を制御する。また、ＣＰＵ１７は、キャプチャ画像をフラッシュメモリ１６に記憶する際の動作制御を行い、デコーダ１２により抽出された１フレーム分の映像信号をフラッシュメモリ１６に記憶させる。なお、キャプチャ画像はＪＰＥＧ方式等により圧縮されフラッシュメモリ１６に記憶される。また、ＣＰＵ１７は、ユーザによるチャンネルアップ／ダウンキー等のチャンネル操作に基づいて、チャンネルの選局処理を制御するチャンネル制御手段として機能する。
【００２２】
次に、ユーザによりチャンネルアップ／ダウンキーが操作された際に行われる、選局処理について図２のフローチャートを参照して説明する。ＤＴＶ放送受信装置１は、システムの稼動中、チャンネルアップ／ダウンキーが押下されたか否か監視し（Ｓ１）、チャンネルアップ／ダウンキーが押下されると（Ｓ１でＹＥＳ）、現チャンネル（すなわち、チャンネルアップ／ダウンキーが操作される前に選局されていたチャンネル）の映像信号をキャプチャして番組画像をフラッシュメモリ１６に記憶する（Ｓ２）。そして、現チャンネルの番組画像が記憶されてから、次チャンネル（すなわち、チャンネルアップ／ダウンキーの操作に基づいて選局処理が開始されるチャンネル）の選局処理を開始する（Ｓ３）。
【００２３】
次チャンネルの選局処理が開始されると、フラッシュメモリ１６に次チャンネルの番組画像が記憶されているか否かが判断される（Ｓ４）。そして、フラッシュメモリ１６に次チャンネルの番組画像が記憶されている場合には（Ｓ４でＹＥＳ）、この番組画像をフラッシュメモリ１６からロードして、モニタ画面２０に表示させる（Ｓ５）。一方、次チャンネルの番組画像が記憶されていない場合には（Ｓ４でＮＯ）、ブランク画像をフラッシュメモリ１６からロードして、モニタ画面２０に表示させる（Ｓ６）。番組画像又はブランク画像は、次チャンネルの選局処理が終了するまで、モニタ画面２０に表示される。そして、次チャンネルの選局処理が終了すると（Ｓ７でＹＥＳ）、次チャンネルの映像がモニタ画面２０に表示される（Ｓ８）。
【００２４】
次に、上述した選局処理をより具体的に説明する。図３において、４チャンネルを現チャンネルとして示し、２チャンネル及び７チャンネルを次チャンネルとして示している（以下、それぞれ４ｃｈ，２ｃｈ及び７ｃｈと略す）。４ｃｈ，７ｃｈ及び２ｃｈでは、それぞれテレビ番組Ａ、テレビ番組Ｂ及びテレビ番組Ｃが放送されているものとする。以下、チャンネルアップキーが操作され、４ｃｈから７ｃｈへの選局処理が行われる場合についてのみ説明する。
【００２５】
４ｃｈの視聴中、ユーザによりＴ１の時点でチャンネルアップキーが操作されると（Ｓ１でＹＥＳ）、Ｃ１において４ｃｈの映像信号がキャプチャされ、４ｃｈのテレビ番組Ａの番組画像２１がフラッシュメモリ１６に記憶される（Ｓ２）。そして、フラッシュメモリ１６への番組画像２１の記憶が終了したＴ１’の時点から、７ｃｈの選局処理が開始される（Ｓ３）。図４に示されるように、Ｔ１からＴ１’までの間、モニタ画面２０には現チャンネルである４ｃｈの映像が表示される。
【００２６】
次に、フラッシュメモリ１６に７ｃｈの番組画像が記憶されている否かが判断される（Ｓ４）。図４に示されるように、フラッシュメモリ１６に７ｃｈの番組画像２２が記憶されている場合には（Ｓ４でＹＥＳ）、７ｃｈの選局処理が開始されたＴ１’の時点から７ｃｈの選局処理が終了するＴ２の時点まで（図３の点線で示される期間）、７ｃｈの番組画像２２がモニタ画面２０に表示される（Ｓ５）。そして、７ｃｈの選局処理が終了すると（Ｓ７でＹＥＳ）、７ｃｈのライブ映像が表示されてテレビ番組Ｂの視聴が可能となる（Ｓ８）。
【００２７】
以上のように本実施形態のＤＴＶ放送受信装置１によれば、ユーザによりチャンネルアップ／ダウンキーが操作されると、次チャンネルの選局処理に先立って、現チャンネルで放送されているテレビ番組の内容を示す番組画像がフラッシュメモリ１６に記憶されるので、ユーザがチャネルアップ／ダウンキーを操作する毎に、自動的に、フラッシュメモリ１６に番組画像が蓄積されていく。そして、このように、予め蓄積された番組画像が、次チャンネルの選局処理が開始されてから選局処理が終了するまでの間、モニタ出力されるので、ユーザは、チャンネルの選局処理中に、次チャンネルで放送されているテレビ番組の内容を把握することができる。
【００２８】
次に、本発明の第２の実施形態によるＤＴＶ放送受信装置について、図５乃至図７を参照して説明する。本実施形態におけるＤＴＶ放送受信装置１は、ユーザによるテレビ番組の視聴中、所定時間毎に、自動的に番組画像が記憶される点で第１の実施形態と異なる。なお、図５においても図３と同様に、４ｃｈを現チャンネルとして示し、２ｃｈ及び７ｃｈを次チャンネルとして示しており、４ｃｈにおいてテレビ番組ＡからＣＭに放送が切り替わった時点をＴ０で示している。
【００２９】
まず、本実施形態のＤＴＶ放送受信装置１による番組画像記憶処理について説明する。図５及び図６において、ユーザが４ｃｈのテレビ番組Ａを視聴している場合、まず、Ｃ１の時点で最新のキャプチャ画像がフラッシュメモリ１６に記憶される（Ｓ２１）。そして、Ｃ１より前に記憶されたキャプチャ画像が存在するか否かが判断される（Ｓ２２）。Ｃ１の時点では、Ｃ１より前に記憶されたキャプチャ画像は存在しないので（Ｓ２２でＮＯ）、Ｓ２３において、Ｃ１の時点で記憶されたキャプチャ画像がテレビ番組Ａの番組画像として記憶される。そして、Ｓ２７において、Ｃ１の時点から１０秒（所定時間）経過したか否かが判断され、Ｃ１から１０秒経過したＣ２の時点で（Ｓ２７でＹＥＳ）、再び、Ｓ２１に戻って処理が繰り返される。
【００３０】
次に、Ｃ２の時点における処理について説明する。まず、Ｓ２１において、Ｃ２の時点における新たなキャプチャ画像がフラッシュメモリ１６に記憶される。そして、Ｓ２２において、前回記憶されたキャプチャ画像が存在するか否かが判断される。Ｃ２の時点では、前回Ｃ１の時点で記憶されたキャプチャ画像が存在するので（Ｓ２２でＹＥＳ）、Ｃ１の時点で記憶されたキャプチャ画像が改めて番組画像として記憶される（Ｓ２４）。次に、Ｓ２５において、前々回記憶されたキャプチャ画像が存在するか否かが判断される。Ｃ２の時点では、Ｃ２の前々回（すなわち、Ｃ１の前回）に記憶されたキャプチャ画像は存在しないので（Ｓ２５でＮＯ）、Ｓ２７においてＣ２の時点から１０秒経過したか否かが判断され、Ｃ２から１０秒経過したＣ３の時点で（Ｓ２７でＹＥＳ）、再び、Ｓ２１に戻って処理が繰り返される。
【００３１】
次に、Ｃ３の時点における処理について説明する。まず、Ｓ２１において、Ｃ３の時点における新たなキャプチャ画像がフラッシュメモリ１６に記憶される。そして、Ｓ２２において、前回記憶されたキャプチャ画像が存在するか否かが判断される。Ｃ３の時点では、前回Ｃ２の時点で記憶されたキャプチャ画像が存在するので（Ｓ２２でＹＥＳ）、Ｃ２の時点で記憶されたキャプチャ画像が改めて番組画像として記憶される（Ｓ２４）。次に、Ｓ２５において、前々回記憶されたキャプチャ画像が存在するか否かが判断される。Ｃ３の時点では、前々回Ｃ１の時点で記憶されたキャプチャ画像が存在するので（Ｓ２５でＹＥＳ）、Ｓ２６において、Ｃ１の時点で記憶されたキャプチャ画像がフラッシュメモリ１６から削除される。そして、以下同様に、Ｃ３から１０秒経過した時点で、再び、Ｓ２１に戻って処理が繰り返される。
【００３２】
このような番組画像記憶処理を行うことにより、４ｃｈの視聴中、直近の２つのキャプチャ画像（例えば、図５のＣ３の時点におけるＣ２及びＣ３のキャプチャ画像）のみがフラッシュメモリ１６に記憶されると共に、最新のキャプチャ画像の1つ前に記憶されたキャプチャ画像（例えば、図５のＣ３の時点におけるＣ２のキャプチャ画像）が番組画像として記憶される。
【００３３】
次に、本実施形態におけるチャンネルアップ／ダウンキーが操作された際の選局処理について説明する。図５及び図７において、ＤＴＶ放送受信装置１は、システムの稼動中、チャンネルアップ／ダウンキーが押下されたか否か監視し（Ｓ４１）、例えば図５において、４ｃｈの視聴中、Ｔ１の時点でチャンネルアップキーが押下されると（Ｓ４１でＹＥＳ）、７ｃｈの選局処理を開始する（Ｓ４２）。そして、７ｃｈの選局処理が開始されると、フラッシュメモリ１６に７ｃｈの番組画像が記憶されているか否かが判断され（Ｓ４３）、７ｃｈの番組画像が記憶されている場合には（Ｓ４３でＹＥＳ）、この番組画像をモニタ画面２０に表示させる（Ｓ４４）。一方、７ｃｈの番組画像が記憶されていない場合には（Ｓ４３でＮＯ）、ブランク画像をモニタ画面２０に表示させる（Ｓ４５）。番組画像又はブランク画像は、７ｃｈの選局処理が終了するＴ２の時点まで、モニタ画面２０に表示される。そして、７ｃｈの選局処理が終了すると（Ｓ４６でＹＥＳ）、テレビ番組Ｂの映像がモニタ画面２０に表示される（Ｓ４７）。なお、ＤＴＶ放送受信装置１は、７ｃｈの選局処理の終了後においても、上述した番組画像記憶処理を行い、例えば、Ｃ４及びＣ５の時点で、キャプチャ画像を記憶する。
【００３４】
本実施形態のＤＴＶ放送受信装置１によれば、１０秒（所定時間）毎に最新のキャプチャ画像が記憶されると共に、この最新のキャプチャ画像の1つ前に記憶されたキャプチャ画像が番組画像として記憶されるので、ユーザによるテレビ番組の視聴中、自動的に、フラッシュメモリ１６に番組画像が記憶される。また、図５に示されるように、ユーザがチャンネルを変更するのは、テレビ番組ＡからＣＭに放送が切り替わった時点Ｔ０の直後が多いことが予想されるが、本実施形態によれば、ユーザによりチャンネル操作がされた時点Ｔ１よりも少なくとも１０秒（所定時間）以上前に記憶されたキャプチャ画像（すなわちＣ２の時点のキャプチャ画像）が番組画像として記憶されることとなる。従って、キャプチャ画像を記憶する間隔を適切に設定することにより、ＣＭのキャプチャ画像（すなわちＣ３の時点のキャプチャ画像）が、テレビ番組Ａの番組画像として記憶され難くなる。このため、ユーザはより適切な情報に基づいて、選局処理が行われているチャンネルで放送されているテレビ番組の内容を把握することができる。
【００３５】
なお、本発明は上記実施形態の構成に限られることなく種々の変形が可能である。例えば、上記実施形態においては、チャンネルアップ／ダウンキーを使用してチャンネル操作がされる場合について説明したが、図８に示されるように、リモコン３の特定キーが押されることにより、フラッシュメモリ１６に記憶されている番組画像２３をサムネイル表示で一括表示して、カーソル２４でユーザにチャンネルを選択させるようにしてもよい。この場合、外部入力される番組についても番組画像２５を表示させるようにしてもよい。
【００３６】
また、番組画像を記憶する際、記憶した日時も記憶し、ＥＰＧを利用することにより、既に放送が終了しているテレビ番組の番組画像を削除するようにしてもよい。このようにすることにより、番組画像が記憶されたテレビ番組の放送が終了し、新たなテレビ番組が放送されている場合において、放送が終了したテレビ番組の番組画像が新たなテレビ番組の選局処理中に表示されることがなくなる。
【図面の簡単な説明】
【００３７】
【図１】本発明の第１の実施形態に係るディジタルテレビジョン放送受信装置の構成を示すブロック図。
【図２】同受信装置のチャンネルアップ／ダウンキーによる選局処理を示すフローチャート。
【図３】同選局処理の説明図。
【図４】同選局処理時のモニタ画面の説明図。
【図５】本発明の第２の実施形態に係るディジタルテレビジョン放送受信装置の番組画像記憶処理及び選局処理の説明図。
【図６】同受信装置の番組画像記憶処理を示すフローチャート。
【図７】同受信装置のチャンネルアップ／ダウンキーによる選局処理を示すフローチャート。
【図８】本発明の変形例に係るディジタルテレビジョン放送受信装置のチャンネル操作方法の説明図。
【符号の説明】
【００３８】
１    ディジタルテレビジョン放送受信装置
２    モニタ装置
３    リモコン
１０  アンテナ
１１  チューナ（受信手段）
１２  デコーダ
１３  ＯＳＤ部（出力手段、番組画像出力手段）
１４  リモコン受信部
１５  ＲＯＭ
１６  フラッシュメモリ（キャプチャ手段、番組画像記憶手段）
１７  ＣＰＵ（チャンネル制御手段）
【図１】
2006025193.tif 000003
【図２】
2006025193.tif 000004
【図３】
2006025193.tif 000005
【図４】
2006025193.tif 000006
【図５】
2006025193.tif 000007
【図６】
2006025193.tif 000008
【図７】
2006025193.tif 000009
【図８】
2006025193.tif 000010